(57)【特許請求の範囲】
【請求項１】
ミシン本体に対し加工布を保持する刺繍枠を自在に移動させる刺繍枠移動機構を組込んでなり、一側面に持ち運び用の把手部を有し、前記ミシン本体に着脱可能に装着される刺繍器を、収納，保管する刺繍器の収納装置であって、
前記ミシン本体を収納する本体カバーとは別体に設けられ、前記ミシン本体から取外された刺繍器を覆う刺繍器用カバーを具備し、
前記刺繍器用カバーは、
前記刺繍器の把手部の把持を可能とした状態で該刺繍器の側面を覆う側壁部を有し、下面が開口した容器状をなし、前記刺繍器に対して上方から被せられるように構成されていると共に、
前記刺繍器の把手部とは反対側の側壁部に設けられ、前記刺繍器を該側壁部を下にして縦置き状態に設置するための脚部と、
前記刺繍器を覆う内面の所定位置に設けられ、前記刺繍器用カバーが前記刺繍器に装着されたときに該刺繍器の所定の一部分に当接することにより、前記脚部が前記把手部の反対側に位置するように前記刺繍器に対する装着向きを規制する規制部とを有して構成されていることを特徴とする刺繍器の収納装置。
【請求項２】
前記刺繍器用カバーの側壁部には、該刺繍器用カバーが前記刺繍器に装着された状態で前記刺繍器の表面の所定部位に係止される被係止部を有することを特徴とする請求項１記載の刺繍器の収納装置。
【請求項３】
前記刺繍器の刺繍枠移動機構は、刺繍枠を保持すると共にその刺繍枠を一方向に延びる開口部に沿って移動させる移動体と、前記刺繍器の上面部に前記一方向とは直交する他方向に延びて形成された開口部に沿って前記移動体を移動させる他方向移動手段とを備え、
前記刺繍器用カバーは、前記両開口部を覆うように構成されていることを特徴とする請求項１または２記載の刺繍器の収納装置。
【請求項４】
前記刺繍器の側面には該刺繍器とミシン本体とを電気的に接続するためのコネクタが設けられ、
前記刺繍器用カバーは、前記コネクタを覆うように構成されていることを特徴とする請求項１ないし３のいずれかに記載の刺繍器の収納装置。
【発明の詳細な説明】
【０００１】
【発明の属する技術分野】
本発明は、ミシン本体のベッド部に着脱自在に装着される刺繍器を収納，保管するための刺繍器の収納装置に関する。
【０００２】
【発明が解決しようとする課題】
一般に、家庭用ミシンにあっては、例えば下面が開口した箱状をなす専用のカバーを備え、片付ける際にはそのカバーをミシンに被せて、各機構の保護やほこり等の付着防止を図るようにしている。ところで、家庭用ミシンには、加工布を保持した刺繍枠を水平方向に自在に移動させる刺繍枠移動機構を有する刺繍器を、ミシン本体に着脱可能に備えたものがある。この場合、特に刺繍器にあっては、刺繍枠を移動させるために必要な開口部や、電気的接続用のコネクタを有するため、不使用時のほこり等の侵入防止を十分に図る必要がある。
【０００３】
このような家庭用刺繍ミシンの場合、ミシン本体に刺繍器を装着した状態のままカバーを被せる構成とすると、そのカバーが横方向に大形となり、比較的広い収納スペースが必要となるという不都合がある。そこで、従来では、刺繍器を取り外した状態で、ミシン本体を覆うカバーに、刺繍器を収容可能な引戸式のスペースを一体的に設け、そのカバー内にミシン本体と刺繍器との双方を収容するようにしている。
【０００４】
しかし、上記従来のカバーでは、カバーに刺繍器を収容するスペースを設けるため、カバーの構成が複雑となって高価となると共に、やはりカバーがそれ相当に大形化する。また、収納状態でのミシンの重量が重くなって、持ち運びや取り扱いがし難いという問題があった。特に、刺繍器を使用しないでミシン本体のみで縫製動作を行う場合、ミシン本体及び刺繍器の双方を持ち運ぶと重量が重いために、カバーから刺繍器を取出した状態でミシン本体のみを持ち運ぶことがある。しかし、刺繍器をカバーから取出すと、刺繍器の開口部やコネクタにほこり等が侵入するという不都合が生じるおそれがあった。
【０００５】
また、従来は、刺繍器に比べてミシン本体が大きかったため、このような大形のミシン本体を覆うカバーに小さい刺繍器を収容する構成としても、それ程、カバーが大形化することはなく、ミシン本体と刺繍器とをコンパクトにまとめて収納することができる。しかし、近年では、ミシン本体の小形化及び軽量化が図られ、ミシン本体と刺繍器の大きさや重量の差が小さくなってきている。このようにミシン本体と刺繍器との大きさ等の差が小さい場合は、ミシン本体のカバー内に刺繍器を収容する構成とすると、反ってカバーが大形化してしまい、ミシン本体と刺繍器とを一つのカバー内に一体的に収容することが、あまり有効ではなかった。
【０００６】
本発明は上記事情に鑑みてなされたもので、その目的は、ミシン本体に着脱自在に装着される刺繍器の収納に適した刺繍器の収納装置を提供するにある。
【０００７】
【課題を解決するための手段】
本発明の請求項１の刺繍器の収納装置は、ミシン本体に対し加工布を保持する刺繍枠を自在に移動させる刺繍枠移動機構を組込んでなり、一側面に持ち運び用の把手部を有し、前記ミシン本体に着脱可能に装着される刺繍器を、収納，保管する刺繍器の収納装置であって、前記ミシン本体を収納する本体カバーとは別体に設けられ、前記ミシン本体から取外された刺繍器を覆う刺繍器用カバーを具備し、前記刺繍器用カバーは、前記刺繍器の把手部の把持を可能とした状態で該刺繍器の側面を覆う側壁部を有し、下面が開口した容器状をなし、前記刺繍器に対して上方から被せられるように構成されていると共に、前記刺繍器の把手部とは反対側の側壁部に設けられ、前記刺繍器を該側壁部を下にして縦置き状態に設置するための脚部と、前記刺繍器を覆う内面の所定位置に設けられ、前記刺繍器用カバーが前記刺繍器に装着されたときに該刺繍器の所定の一部分に当接することにより、前記脚部が前記把手部の反対側に位置するように前記刺繍器に対する装着向きを規制する規制部とを有して構成されていることを特徴とする。
【０００８】
このような構成によれば、刺繍器及びミシン本体の個々に専用のカバーを設けたので、ミシン本体を覆うカバーに刺繍器を収容するスペースを設けていた従来と比べて構成を簡単にすることができると共に、両カバーの小形化や、収納時における軽量化を図ることができ、持ち運びや取り扱いが容易になる。そして、ミシン本体から取り外された刺繍器に刺繍器用カバーを装着してミシン本体とは別個に収納しておくことができる。また、刺繍器が取外された状態のミシン本体には、本体カバーを装着して収納することができる。そのため、ミシン本体のみを使用した縫製動作時に、刺繍器用カバーが装着された刺繍器をそのまま収納しておくことができる。
【０００９】
この場合、前記刺繍器の一側面には持ち運び用の把手部が設けられており、前記刺繍器用カバーは前記刺繍器の把手部の把持を可能とした状態で該刺繍器の側面を覆う側壁部を有し、前記刺繍器の把手部とは反対側の側壁部に前記刺繍器を該側壁部を下にして縦置き状態に設置するための脚部を設けている。このような構成によれば、縦置きが可能となり、縦長の比較的狭いスペースでも刺繍器を置くことができると共に、刺繍器用カバーが装着された刺繍器を収納場所等に設置する際の使い勝手が良い。
【００１０】
また、前記刺繍器用カバーは、下面が開口した容器状をなし、前記刺繍器に対して上方から被せられるように構成されているので、刺繍器に対する刺繍器用カバーの装着が容易になる。前記刺繍器用カバーが前記刺繍器に装着されたときに該刺繍器の所定の一部分に当接することにより、前記脚部が前記把手部の反対側に位置するように前記刺繍器に対する装着向きを規制する規制手段としての規制部を、前記刺繍器を覆う内面の所定位置に設けているので、刺繍器用カバーは、常にその脚部が前記把手部の反対側に位置する所定の向きにのみ規制されて装着され、その逆向きには装着することができない。依って、前記規制に従って刺繍器用カバーを所定の向きに刺繍器に装着した状態で、その刺繍器の把手部を持てば、おのずと前記脚部が下方に位置することになり、そのまま刺繍器を収納場所まで持ち運んで収納場所に設置することができ、刺繍器を収納場所等に設置する際の使い勝手が良い。
【００１１】
更に、刺繍器に対する刺繍器用カバーの装着状態を維持することができるように、前記刺繍器用カバーの側壁部を、該刺繍器用カバーが前記刺繍器に装着された状態で前記刺繍器の表面の所定部位に係止される被係止部を有するように構成すると良い（請求項２の発明）。そして、この構成においては、刺繍器の表面の形状を前記被係止部に対する係止部として利用したため、新たに刺繍器の表面に係止部を設ける場合と比べて構成が簡単になる。
【００１２】
【００１３】
また、前記刺繍器の刺繍枠移動機構を、刺繍枠を保持すると共にその刺繍枠を一方向に延びる開口部に沿って移動させる移動体と、前記刺繍器の上面部に前記一方向とは直交する他方向に延びて形成された開口部に沿って前記移動体を移動させる他方向移動手段とを備えて構成した場合、前記両開口部を介して移動体や刺繍器内に侵入するほこりにより刺繍枠移動機構が故障するおそれがある。そのため、前記刺繍器用カバーは、前記両開口部を覆うように構成しても良い（請求項３の発明）。
【００１４】
更にまた、前記刺繍器の側面には該刺繍器とミシン本体とを電気的に接続するためのコネクタが設けられている場合、前記コネクタが外部環境にさらされることを防止するために、前記刺繍器用カバーを、前記コネクタを覆うように構成することも良い構成である（請求項４の発明）。
【００１５】
【発明の実施の形態】
以下、本発明の第１の実施の形態について図１ないし図９を参照しながら説明する。まず、図５及び図６は、家庭用の電子制御式ミシンの全体構成を示しており、図５は正面図、図６は上面図を示している。これら図５及び図６において、ミシン本体１は、ベース部２と、このベース部２の上部に設けられたベッド部３と、このベッド部３の上方に一体的に設けられたアーム部４とを有して構成されている。前記ベッド部３及びベース部２の左端部には、後述する刺繍器５が着脱可能に装着されている。尚、図５及び図６から明らかなように、本実施の形態においては、刺繍器５は、ミシン本体１と略同じ大きさを有している。
【００１６】
前記アーム部４の左端のヘッド部４ａには、縫い針６を有する針棒７や、加工布（図示せず）を針板８の上面に押さえ付けるための押さえ足（図示せず）等が設けられている。また、前記アーム部４の前面には、縫製動作に関する各種の情報を表示するためのディスプレイ９や、電源スイッチやスタート・ストップスイッチなどの各種操作スイッチ１０が設けられている。図示はしないが、前記ディスプレイ９の表面には各種の操作キーを構成するタッチパネルが設けられている。そして、詳しい説明は省略するが、ミシン本体１内に設けられた制御装置は、使用者による前記操作スイッチ１０及び前記タッチパネルの操作に基づいてミシンの各機構を制御し、各種の実用縫いにかかる縫製動作や刺繍縫い動作を実行するように構成されている。
【００１７】
一方、図７は前記刺繍器５の平面図を、図８は図７中右側からみた刺繍器５の側面図を示している。これら図７及び図８に示すように、前記刺繍器５は、略矩形状をなす本体ケース１１と、この本体ケース１１に設けられた刺繍枠移動機構１２とを備えて構成されている。本体ケース１１の図３中右端部の上部には、ベッド部３の左端部の形状に対応した凹部１３が設けられ、下部にはベース部２の左端部の形状に対応した凹部１４が設けられている。これら凹部１３，１４内にベッド部３及びベース部２の左端部が嵌合されることにより、刺繍器５はミシン本体１に装着されるように構成されている。尚、図示はしないが、本体ケース１１内のうちのミシン本体１との接触部分には、刺繍器５がミシン本体１に装着されている状態を保持する係止機構が設けられている。
【００１８】
また、ミシン本体１のベース部２の左端面には、刺繍器５と電気的に接続するためのコネクタ（図示せず）が設けられており、このコネクタに対応して、下側の凹部１４の内側面にはコネクタ１５が設けられている。これに対して、本体ケース１１の左側面には、刺繍器５を持ち運ぶ際及びミシン本体１から刺繍器５を取り外す際に把持する為の把手部１６が設けられている（図５参照）。この把手部１６は、本体ケース１１の左端部に下方に開口する凹部１７を形成することにより本体ケース１１に一体的に構成されている。特に、本実施例においては、前記凹部１７内には、前記係止機構による係止を解除する解除機構の操作部が前記把手部１６近傍に設けられている。これにより、ミシン本体１から刺繍器５を取り外す際に、把手部１６に手を掛けると、同時に係止機構による係止状態を解除することができるように構成されている。
【００１９】
一方、刺繍枠移動機構１２は、本体ケース１１の上面部に手前側に左右方向に延びるように設けられた長孔状の開口部たるリニアガイド１８と、このリニアガイド１８に沿って移動するように構成された移動体１９とを備えて構成されている。図８に示すように、前記移動体１９の右側面の下部には、長方形状に切り欠かれた開口部１９ａが設けられており、この開口部１９ａ内を左右方向（図７において前後方向）に移動可能に設けられた支持部２０に、刺繍枠２１（図５及び図６参照）が着脱可能に取付けられるように構成されている。
【００２０】
さて、上記ミシンは、不使用時においては、ミシン本体１から刺繍器５を取り外して、それぞれ別個に収納するように構成されている。具体的には、図１ないし図４に示すように、刺繍器５は、収納装置として、合成樹脂製例えばＡＢＳ製の刺繍器用カバー２２を備えており、このカバー２２が本体ケース１１に装着された状態で収納するように構成されている。このカバー２２は、下面部が開口した容器状をなしており、本体ケース１１に上方から被せるように構成されている。前記カバー２２が本体ケース１１に被せられたとき、その側壁部２２ａの下端部は本体ケース１１の側面の高さ方向の略中央付近に位置するように構成されている。
【００２１】
また、カバー２２の側壁部２２ａのうちの一つには、高さ方向に延びるように構成された一対の脚部２３が一体に設けられている。これら脚部２３の底面部２３ａが、カバー２２の上面部２２ｂに対して略垂直となるように構成されている。また、前記脚部２３が設けられているカバー２２の側壁部２２ａの内面には、内方に向かって突出する一対のリブ２４が一体に設けられている。これらリブ２４は、カバー２２が本体ケース１１に被せられたとき、本体ケース１１の上側の凹部１３の内側面に当接するような所定位置に設けられている。これにより、図１に示すリブ２４が凹部１３内に位置する状態とは左右逆向きの状態では、カバー２２を刺繍器５の本体ケース１１に装着することができないように構成されている。従って、上記リブ２４が規制部として機能する。また、本実施の形態においては、リブ２４を、脚部２３が設けられた側壁部２２ａに設けたため、本体ケース１１の把手部１６と脚部２３とが反対側に位置する状態でのみ、カバー２２を本体ケース１１に装着することができるように構成されている。
【００２２】
また、図３及び図４に示すように、カバー２２の側壁部２２ａのうち脚部２３が設けられた部分と隣接する両側部分の下部には、幅方向略中央に位置して舌状部２５（図３では一方のみ示す）が一体に設けられている。前記舌状部２５の下端部には、内方に突出する被係止部としての突部２５ａが設けられている。これら突部２５ａは、カバー２２を本体ケース１１に被せたとき、本体ケース１１の所定部位、この場合、本体ケース１１の側面に位置するノッチと称される段部２６よりも下方に位置するように構成されている。これにより、本体ケース１１に装着されたカバー２２は、突部２５ａが段部２６に係止された状態となるように構成されている。そして、舌状部２５を外方に弾性変形させることにより突部２５ａが段部２６に係止されている状態に解除することによりカバー２２を本体ケース１１から取り外すことができるように構成されている。
【００２３】
これに対して、ミシン本体１は、図９に示すように、合成樹脂製、例えばＡＢＳ製の本体カバー２７が装着された状態で片付けられるように構成されている。この本体カバー２７は、ミシン本体１のうちのベッド部３の上部及びアーム部４の図９中右端部を除く部分を覆うように構成されている。詳しい図示は省略するが、この本体カバー２７は、ベッド部３に着脱自在に装着されるテーブルとしても機能するように構成されている。
【００２４】
このような構成の本実施の形態によれば、刺繍器５にはカバー２２を、ミシン本体１には本体カバー２７を装着して、ミシン本体１と刺繍器５とをそれぞれ別個に収納しておくことができ、ミシン本体１を覆うカバー内に刺繍器５を収容するスペースを設けていた従来と比べて、簡単且つ安価な構成とすることができる。また、収納状態におけるミシン本体１及び刺繍器５の個々の重量を軽量化することができるため、取扱いや持運びが容易になる。また、刺繍器５を使用しない場合でも、刺繍器５にほこりが付着しないようにカバー２２を被せて収納場所に放置した状態でミシン本体１のみを持ち運ぶことができる。
【００２５】
更に、ミシン本体１と刺繍器５とを別々に収納できるため、収納場所のスペースに応じて、刺繍器５及びミシン本体１を分離して収納したり、ミシン本体１の本体カバー２７の上に刺繍器５を重ねて両者をまとめて収納したりする等、適宜な配置することができる。特に、本実施の形態では、刺繍器５とミシン本体１との大きさの差が小さいため、刺繍器５のカバー２２とミシン本体１の本体カバー２７を別々に設けたことにより、刺繍器５及びミシン本体１をまとめてカバー内に収納していた従来に比べて、収納時の形態をより小さくコンパクトにまとめることができる。
【００２６】
また、刺繍器５のカバー２２の側壁部２２ａに脚部２３を設け、刺繍器５を縦置きしても安定するように構成した。そのため、例えば押し入れ等の収納場所の縦長の狭いスペースを利用して刺繍器５を収納することができる。
更に、刺繍器５のカバー２２は、本体ケース１１に対して上方から被せるだけで刺繍器５に簡単に装着することができるので、作業性が良い。
【００２７】
更にまた、刺繍器５のカバー２２には、突部２５ａを有する舌状部２５を設け、カバー２２を本体ケース１１に装着したとき、前記突部２５ａが本体ケース１１の段部２６に係止されるように構成した。そのため、本体ケース２２に装着されたカバー２２が簡単に外れてしまうことを極力防止できる。特に、前記突部２５ａは、構成上本体ケース１１の表面に設けられる段部２６を係止部として利用する構成であるため、本体ケース１１にわざわざ係止部を設けずとも済む。
【００２８】
また、本実施例においては、カバー２２にリブ２４を設けて、カバー２２の本体ケース１１に対する装着向きを規制するように構成した。そして、このとき、カバー２２は、脚部２３と把手部１６とが反対側の位置となるように本体ケース１１に装着される。そのため、カバー２２が装着された刺繍器５を、把手部１６を持って収納場所まで持ち運んだ状態のまま収納場所に設置するだけで、脚部２３が下方に位置するように刺繍器５を設置することができる。
【００２９】
図１０及び図１１は、本発明の第２の実施の形態を示すものであり、第１の実施の形態と異なるところを説明する。尚、第１の実施の形態と同一部分には同一符号を付している。上記第２の実施の形態では、コネクタ１５は、刺繍器５の本体ケース１１の上側の凹部１３の内側面に設けられている。従って、図示はしないが、ミシン本体１側においては、前記コネクタ１５に対応するコネクタは、ベッド部３の左端面に設けられている。そのため、図１１に示すように、上記カバー２２を刺繍器５の本体ケース１１に装着すると、上記コネクタ１５はカバー２２に覆われた状態となる。
【００３０】
このような構成によれば、カバー２２により、刺繍器５の保管時にコネクタ１５が外部環境にさらされることも防止できるので、コネクタ１５にほこりが付着したり、濡れたりすることを防止できる。
【００３１】
尚、上記第１の実施例においては、カバー２２を本体ケース１１に装着してもコネクタ１１はカバー２２で塞がれないが、この場合は、カバー２２とは別にコネクタ１１を覆うように構成されたコネクタ用カバーを設けるとよい。そして、この場合は、カバー２２とコネクタ用カバーとから刺繍器５の収納装置が構成される。
【００３２】
また、本発明は上記し且つ図面に示した実施例に限定されるものではなく、例えば次のような変形、拡張が可能である。
刺繍器用カバーは、刺繍枠移動機構１２のうち本体ケース１１の上面に露出している部分、特には、リニアガイド１８及び移動体１９の開口部１９ａのみを塞ぐように構成しても良い。このような構成であっても、刺繍枠移動機構１２の駆動部分にほこり等が侵入することを十分に防止することができ、加えて、刺繍用カバーをより一層小さく構成することができるという効果が得られる。
【００３３】
上記両実施の形態では、刺繍器用カバー２２の側面に一対の脚部２３を設けたが、刺繍器用カバー２２の側壁部２２ａのうちの一部を上面部２２ｂと略垂直となるような平面状に構成し、刺繍器５を縦置き状態とし易いように構成しても良い。
突部２５ａが係止される刺繍器５の表面の所定部位としては、段部２６に限らず、把手部１６やコネクタ１６の出っ張り等でも良い。
【００３４】
上記両実施の形態では、把手部１６の近傍に解除機構の操作部が設けられた例を示したが、把手部１６と離れた部位に操作部が設けられたものでも良い。
刺繍器カバーは、刺繍器の本体ケースに対して上方から被せるようにして装着する構成に限らず、刺繍器に対して横から嵌め込むように構成しても良い。
また、本発明は、刺繍器がミシン本体よりも十分に小さい場合であっても適用できる。
【００３５】
【発明の効果】
以上の説明から明らかなように、本発明の刺繍器の収納装置は、ミシン本体を収納する本体カバーとは別体に設けられ、ミシン本体から取り外された刺繍器を覆う刺繍器用カバーを備えて構成したので、ミシン本体を覆うカバーに刺繍器を収容するスペースを設けていた従来と比べて簡単且つ安価な構成とすることができ、また、刺繍器をミシン本体とは別個に収納しておくことができるので、ミシン本体のみを使用する縫製動作時には、刺繍器用カバーが装着された刺繍器をそのまま収納場所に放置しておくことができる。
この場合、前記刺繍器の一側面に持ち運び用の把手部が設けられており、前記刺繍器用カバーは前記刺繍器の把手部の把持を可能とした状態で該刺繍器の側面を覆う側壁部を有し、前記刺繍器の把手部とは反対側の側壁部に前記刺繍器を該側壁部を下にして縦置き状態に設置するための脚部を設けているので、縦置きが可能となり、縦長の比較的狭いスペースでも刺繍器を置くことができると共に、刺繍器用カバーが装着された刺繍器を収納場所等に設置する際の使い勝手が良い。また、前記刺繍器用カバーは、下面が開口した容器状をなし、前記刺繍器に対して上方から被せられるように構成されているので、刺繍器に対する刺繍器用カバーの装着が容易になる。前記刺繍器用カバーが前記刺繍器に装着されたときに該刺繍器の所定の一部分に当接することにより、前記脚部が前記把手部の反対側に位置するように前記刺繍器に対する装着向きを規制する規制手段としての規制部を、前記刺繍器を覆う内面の所定位置に設けているので、刺繍器用カバーは、常にその脚部が前記把手部の反対側に位置する所定の向きにのみ規制されて装着され、その逆向きには装着することができない。依って、前記規制に従って刺繍器用カバーを所定の向きに刺繍器に装着した状態で、その刺繍器の把手部を持てば、おのずと前記脚部が下方に位置することになり、そのまま刺繍器を収納場所まで持ち運んで収納場所に設置することができ、刺繍器を収納場所等に設置する際の使い勝手が良い。
【図面の簡単な説明】
【図１】  本発明の第１の実施の形態を示すものであって、刺繍器にカバーが装着された状態を示す平面図
【図２】  カバーが装着された状態で示す刺繍器の側面図
【図３】  カバーが装着された状態で示す刺繍器の正面図
【図４】  図３中、カバーのみをII−II線で断面して示す側面図
【図５】  ミシンの正面図
【図６】  ミシンの平面図
【図７】  刺繍器の平面図
【図８】  刺繍器の側面図
【図９】  カバーが装着された状態で示すミシン本体の正面図
【図１０】  本発明の第２の実施の形態を示す図８相当図
【図１１】  図２相当図
【符号の説明】
図中、１はミシン本体、５はベース部、１１は本体ケース、１２は刺繍枠移動機構、１５はコネクタ、１６は把手部、１８はリニアガイド（開口部）、１９は移動体、１９ａは開口部、２１は刺繍枠、２２は刺繍器用カバー（刺繍器の収納装置）、２３は脚部、２４はリブ（規制部）、２５ａは突部（被係止部）、２７は本体カバーを示す。
【図１】
0003932640.tif 000002
【図２】
0003932640.tif 000003
【図３】
0003932640.tif 000004
【図４】
0003932640.tif 000005
【図５】
0003932640.tif 000006
【図６】
0003932640.tif 000007
【図７】
0003932640.tif 000008
【図８】
0003932640.tif 000009
【図９】
0003932640.tif 000010
【図１０】
0003932640.tif 000011
【図１１】
0003932640.tif 000012